(57)【要約】      （修正有）【課題】ホームページ上などのコンテンツを処理する上で、コンテンツの特性に応じた分類整理方法が無いため分類が多岐にわたり、同じような管理特性を持っていても個別の処理ロジックを組み込むことによって処理構造が煩雑になり、また、言語に関係ない特性のコンテンツであっても、前記特性の区別なく処理することで言語の変更を伴う処理を重複して行うことを解決する。【解決手段】本発明は、ホームページ上などの文字テキスト、画像、ビデオ、音声、メールなどの多岐にわたる種類のコンテンツを国語に依存する言語特性を持つ文字テキストのコンテンツとファイル動作特性を持つ電子ファイル形式のメディアのコンテンツとアドレス情報だけを持つコンテンツの3種類のグループに分類し、各々に対応する管理装置で管理することによって、外部から指示される処理の構造を単純化し、効率化できるようにする。【選択図】図１
2004199574.tif 000002
【特許請求の範囲】
【請求項１】
ホームページなどの電子情報を構成するコンテンツを分類する機能を持ち、言語特性に依存する文字テキストとしてのコンテンツを管理するテキスト管理装置と、画像ファイル、音声ファイル、ビデオファイルなどのファイル動作特性を持つ電子ファイルとしてのコンテンツを管理するメディア管理装置と、電子メールのメールアドレスやホームページのリンク先のＵＲＬアドレスなどのアドレス情報としてのコンテンツを管理するリンク管理装置から構成されるコンテンツ分類管理システム。
【発明の詳細な説明】
【０００１】
【発明の属する技術分野】
本発明は、ホームページ上などの情報処理で扱うテキスト、画像、音声、ビデオなどのコンテンツを有効に活用するために分類し管理するコンテンツ分類管理システムに関する。
【０００２】
【従来の技術】
従来、情報処理で扱うホームページ上などの文字テキスト、画像、音声、ビデオなどのコンテンツの分類方法は、キーワードやデータサンプルなどの付加情報をつけることで個々のデータとして識別し管理するものがある（例えば、特許文献１および特許文献２参照。）。
また、ホームページを記述する言語であるＨＴＭＬのタグコードを利用して画像、リンクアドレスなどを識別したり、電子ファイル形式のコンテンツに限って、ファイルの拡張子で個々に管理する方式がある。
【０００３】
【特許文献１】
特開２００２−０７３６４２号  （要約、０００４）
【特許文献２】
特開２００２−２９７５９７号  （要約、０００６、０００７）
【非特許文献1】
特許を受けようとする発明に関連する適切な非特許文献は見当たらない。
【０００４】
【発明が解決しようとする課題】
上述した従来の技術において、ホームページ上などのコンテンツを処理する上で、国語に関係するコンテンツ、ファイル動作に関係するコンテンツ、アドレスによる接続だけのコンテンツといった特性に応じたコンテンツの分類整理がなされず、分類の目的が限定されたり分類が多岐にわたり、同じような管理特性を持っていても個別に処理する必要があり、特に国語の違いである言語特性を持つ文字テキストとは無関係なコンテンツであっても、ページ上のコンテンツとして一括して取り扱う処理では、異なる国語に対応して重複して処理しなければならない欠点があった。
本発明は、これらの欠点を解決するためになされたもので、ホームページ上などの多岐にわたる種類のコンテンツを国語に依存する言語特性を持つコンテンツとファイル動作特性を持つコンテンツとアドレス情報だけを必要とするコンテンツの３種類を管理するそれぞれの管理装置で分類することによって処理の構造を単純化し、効率化できるようにする。
【０００５】
【課題を解決するための手段】
前記の課題を解決する手段は以下のとおりである。
本発明は、ホームページなどの電子情報を構成するコンテンツを分類する機能を持ち、言語特性に依存する文字テキストとしてのコンテンツを管理するテキスト管理装置と、画像ファイル、音声ファイル、ビデオファイルなどのファイル動作特性を持つ電子ファイルとしてのコンテンツを管理するメディア管理装置と、電子メールのメールアドレスやホームページのリンク先のＵＲＬアドレスなどのアドレス情報としてのコンテンツを管理するリンク管理装置から構成されることを特徴とする。
【０００６】
このように構成されたコンテンツ分類管理システムにおいて、
テキスト管理装置は、文字テキストのコンテンツを各国語の言語を考慮して処理することができ、
メディア管理装置は、様々なファイルの拡張子を持つファイル形式の画像、音声、ビデオなどのメディア電子ファイルのコンテンツを一つのグループとして管理し、個別のファイル動作で処理するだけでなく、個別のファイル動作と切り離した別の機能とのインターフェースで処理することができ、
リンク管理装置は、メールアドレスやページをリンクするＵＲＬなどのアドレス情報を言語特性またはファイル動作特性を持たないコンテンツのグループとして処理することができる。
【０００７】
【発明の実施の形態】
次に、本発明の実施の形態を実施例の図に基づいて説明する。
本説明の中で、コンテンツとは、ホームページなどを構成する文字テキスト情報、画像、音声、ビデオなどの電子ファイル情報、電子メールやリンク先ＵＲＬのアドレス情報などの要素を総称して言うものとする。
図1は、本システムを構成するテキスト管理装置10、メディア管理装置20、リンク管理装置30の内部構成の例を示す図である。
図１の実施例では、文字テキスト情報としてのコンテンツを管理するテキスト管理装置10は、コンテンツをユニークに識別するT識別ＩＤ 101とコンテンツの国語が何かを管理する言語ＩＤ 102とコンテンツの内容を格納するコンテンツ値103を含む部品から構成され、
電子ファイル情報としてのコンテンツを管理するメディア管理装置20は、コンテンツをユニークに識別するM識別ＩＤ 201とファイル形式の拡張子別のメディア電子ファイルの種類を管理するメディアＩＤ 202と実際のファイル形式のメディア電子ファイルの存在場所のアドレスまたはパスを格納するＵＲＬ 203と実際のファイル形式の電子ファイルを動作させるときの関連するソフトウェアとのインターフェースを管理するインターフェース識別子を格納する動作インターフェース204を含む部品から構成され、
アドレス情報としてのコンテンツを管理するリンク管理装置30は、コンテンツをユニークに識別するL識別ＩＤ 301とメールやページなどのリンクする種類を識別するリンクＩＤ 302とメールアドレスやホームページのＵＲＬまたは、リンクするページアドレスを格納するアドレス 303を含む部品から構成されることを示す。
図２は、テキスト管理装置10を利用して、文字テキストのコンテンツが各国語別に管理される例を示す模式図である。
図２では、T識別ＩＤ 101が「１」のコンテンツの言語ＩＤ102が「日本語」であり、コンテンツ値103が「あいうえお」であることを示し、T識別ＩＤ101が「２」のコンテンツの言語ＩＤ102が「英語」であり、コンテンツ値103が「ABCDE」であることを示し、T識別ＩＤ101が「３」のコンテンツの言語ＩＤ102が「ドイツ語」であり、コンテンツ値103が「doiche」であることを示し、T識別ＩＤ 101が「４」のコンテンツの言語ＩＤ 102が「中国語」であり、コンテンツ値103が「友好公司」であることを示す。
図3は、メディア管理装置20を利用して、実際のファイル形式のコンテンツであるメディア電子ファイルとどのように関係付けられるかの例を示す模式図である。
図3では、M識別ＩＤ 201が「１」のコンテンツのメディアＩＤ 202が「gif」であり、ＵＲＬ 203が「aaa/a.gif」であり、動作インターフェース204が「地図ソフト」であり、実際の電子ファイルA  211がＵＲＬ 203の値aaa/a.gifで連結されていることを示し、
M識別ＩＤ 201が「２」のコンテンツのメディアＩＤ 202が「au」であり、ＵＲＬ 203が「bbb/b.au」であり、動作インターフェース204が「ブックソフト」であり、実際の電子ファイルB  221がＵＲＬ 203の値bbb/b.auで連結されていることを示し、
M識別ＩＤ 201が「３」のコンテンツのメディアＩＤ 202が「wav」であり、ＵＲＬ 203が「ccc/c.wav」であり、動作インターフェース 204が「ステレオソフト」であり、実際の電子ファイルC 231がＵＲＬ 203の値ccc/c/wavで連結されていることを示す。
図4は、リンク管理装置30を利用して、アドレス形式のコンテンツが管理される例を示す模式図である。
図4では、L識別ＩＤ 301が「１」のコンテンツのリンクＩＤ 302が「メール」であり、アドレス 303がメールアドレス「aaa@sss.com」であることを示し、
L識別ＩＤ 301が「２」のコンテンツのリンクＩＤ 302が「ページ」であり、アドレス303がインターネット上のホームページアドレスであるＵＲＬ「bbb.com/b.html」であることを示し、
L識別ＩＤ 301が「３」のコンテンツのリンクＩＤ 302が「ページ」であり、アドレス 303が相対的なＵＲＬ「ccc.html」であることを示す。
図5は、各種のコンテンツが3種類の管理装置に格納される処理の例を示すフローチャートである。
図5では、文字テキスト、画像、ビデオ、音声、メール、ページリンクなどのコンテンツがコンテンツ分類 4001において、文字テキストの場合には、テキスト管理装置へ登録4002を起動し図1のテキスト管理装置10 に対する登録処理が行なわれ、電子ファイルの場合には、メディア管理装置へ登録4003を起動し図1のメディア管理装置20に対する登録処理が行なわれ、メールアドレスまたはページリンクのURLアドレスの場合は、リンク管理装置へ登録4004を起動し図1のリンク管理装置30に対する登録処理が行なわれ、各々の結果として、コンテンツを3種類のグループに分類し図２〜図４で説明した構造で管理する処理を示す。
図6は、外部からの命令指示で、3種類の対応する管理装置が各々動作する処理の例を示すフローチャートである。
図6では、外部から指示された命令に対して、動作命令分岐5001において、日本語や英語などの言語の指示または文字テキストの指示があった場合は、テキスト管理装置動作5002を起動し、図１のテキスト管理装置10だけが動作し、前記指示された命令に基づいて文字テキストを処理する文字テキスト処理 5012を行うことを示し、電子ファイルの指示またはファイルの動作インターフェースの指示があった場合は、メディア管理装置動作5003を起動し、図１のメディア管理装置20だけが動作し、前記指示された命令に基づいて電子ファイルを処理する電子ファイル処理5013を行うことを示し、アドレス情報やメールリンク、ページリンクの指示があった場合は、リンク管理装置動作5004を起動し、図１のリンク管理装置30だけが動作し、前記指示された命令に基づいてアドレス情報を処理するアドレス情報処理 5014を行うことを示す。
【０００８】
【発明の効果】
以上説明したように本発明によれば、文字テキスト、画像、音声、ビデオ、メール、ページリンクなどのコンテンツを3種類のグループに分類して、言語特性を持つ文字テキストのコンテンツとファイルの動作特性を持つ電子ファイル形式のコンテンツとアドレス情報だけを管理するコンテンツのそれぞれの特性に合わせた装置を使って管理することができ、それぞれの種類のコンテンツを管理するための情報を目的別に必要な項目に限定し、最小で効率的に管理でき、また、言語特性を持つコンテンツを英語や日本語などの言語を考慮して操作を行うときに、言語特性を持たないコンテンツと完全に独立して処理することができ、ファイル動作特性を持つ画像や音声やビデオなどの多種類の電子ファイル形式のコンテンツを、共通の方法で言語を考慮した操作に影響を受けずに処理することができ、アドレス情報しかもたないコンテンツを前記２つの種類のコンテンツと独立して管理することができることで、ホームページなどで利用される様々なコンテンツを効率的、効果的に処理することができる。
【図面の簡単な説明】
【図1】本発明実施例の各装置の内部構成を示す図。
【図2】本発明実施例のテキスト管理装置の模式図。
【図3】本発明実施例のメディア管理装置の模式図。
【図4】本発明実施例のリンク管理装置の模式図。
【図5】本発明実施例のコンテンツ分類処理のフローチャート。
【図6】本発明実施例のコンテンツ動作処理のフローチャート。
【符号の説明】
10    テキスト管理装置
20    メディア管理装置
30 リンク管理装置
101 T識別ＩＤ
102 言語ＩＤ
103 コンテンツ値
201 M識別ＩＤ
202 メディアＩＤ
203 ＵＲＬ
204 動作インターフェース
211            電子ファイル１
221            電子ファイル２
231            電子ファイル３
301 L識別ＩＤ
302 リンクＩＤ
303 アドレス
400 コンテンツ分類処理
500            コンテンツ動作処理
【図１】
2004199574.tif 000003
【図２】
2004199574.tif 000004
【図３】
2004199574.tif 000005
【図４】
2004199574.tif 000006
【図５】
2004199574.tif 000007
【図６】
2004199574.tif 000008